(57)【要約】      （修正有）【課題】ブラック層が巻上がるエッジカールを防止して壁電荷を容易に拡散させ、また、ブラック輝度を低減してコントラストを向上させる。【解決手段】本発明の実施形態によるプラズマディスプレイパネルは、前面基板４０１、前面基板４０１上に形成される透明電極４０２ａ、４０３ａ 、透明電極４０２ａ、４０３ａ上部及び放電セルと放電セルの間である非放電領域を覆う領域に形成されたブラック層４０６ｂ及び透明電極４０２ａ、４０３ａ上部のブラック層４０６ａの幅より狭く前記ブラック層４０６ａ上に形成されたバス電極４０２ｂ、４０３ｂを含む構成とした。 【選択図】図４
2006318901.tif 000002
【特許請求の範囲】
【請求項１】
前面基板と、
前記前面基板上に形成される透明電極と、
前記透明電極上部に形成されるブラック層と、
前記ブラック層上部に前記ブラック層の幅より狭く形成されるバス電極と、
を含むことを特徴とするプラズマディスプレイパネル。
【請求項２】
前記バス電極は前記ブラック層の中央部に形成されたことを特徴とする、請求項１記載のプラズマディスプレイパネル。
【請求項３】
前記ブラック層の幅は２０ｕｍ以上１００ｕｍ以下であることを特徴とする、請求項１記載のプラズマディスプレイパネル。
【請求項４】
前記ブラック層の幅は５０ｕｍ以上８０ｕｍ以下であることを特徴とする、請求項３記載のプラズマディスプレイパネル。
【請求項５】
前記バス電極の幅は前記ブラック層の幅に対して５０％以上９０％ 以下であることを特徴とする、請求項１記載のプラズマディスプレイパネル。
【請求項６】
前記ブラック層の幅と前記バス電極の幅の差は２０ｕｍ以内であることを特徴とする、請求項５記載のプラズマディスプレイパネル。
【請求項７】
前面基板と、
前記前面基板上に形成される透明電極と、
前記透明電極上部及び放電セルと放電セルの間である非放電領域を覆う領域に形成されたブラック層と、
前記透明電極上部のブラック層の幅より狭く前記ブラック層上に形成されたバス電極と、を含むことを特徴とするプラズマディスプレイパネル。
【請求項８】
前記バス電極は前記透明電極上部のブラック層の中央部に形成されたことを特徴とする、請求項７記載のプラズマディスプレイパネル。
【請求項９】
前記透明電極上部のブラック層の幅は２０ｕｍ以上1００ｕｍ以下であることを特徴とする、 請求項７記載のプラズマディスプレイパネル。
【請求項１０】
前記透明電極上部のブラック層の幅５０ｕｍ以上８０ｕｍ以下であることを特徴とする、請求項９記載のプラズマディスプレイパネル。
【請求項１１】
前記バス電極の幅は前記透明電極上部のブラック層の幅に対して５０％以上９０％以下であることを特徴とする、請求項７記載のプラズマディスプレイパネル。
【請求項１２】
前記透明電極上部のブラック層の幅と前記バス電極の幅の差は２０ｕｍ以内であることを特徴とする、請求項１１記載のプラズマディスプレイパネル。
【請求項１３】
前面基板と、
前記前面基板上に形成されるブラック層と、
前記ブラック層上部に前記ブラック層の幅より狭く形成されるバス電極と、
を含むことを特徴とするプラズマディスプレイパネル。
【請求項１４】
前記バス電極は前記ブラック層の中央部に形成されたことを特徴とする、請求項１３記載のプラズマディスプレイパネル。
【請求項１５】
前記ブラック層の幅は２０ｕｍ以上１００ｕｍ以下であることを特徴とする、請求項１３記載のプラズマディスプレイパネル。
【請求項１６】
前記ブラック層の幅は５０ｕｍ以上８０ｕｍ以下であることを特徴とする、請求項１５記載のプラズマディスプレイパネル。
【請求項１７】
前記バス電極の幅は前記ブラック層の幅に対して５０％以上９０％以下であることを特徴とする、請求項１３記載のプラズマディスプレイパネル。
【請求項１８】
前記ブラック層の幅と前記バス電極の幅の差は２０ｕｍ以内であることを特徴とする、請求項１７記載のプラズマディスプレイパネル。
【発明の詳細な説明】
【技術分野】
【０００１】
本発明はディスプレイ装置に関し、より詳くはプラズマディスプレイパネルに関する。
【背景技術】
【０００２】
一般的にディスプレイ装置の内でプラズマディスプレイ装置はプラズマディスプレイパネルとプラズマディスプレイパネルを駆動するための駆動部を含む。
【０００３】
プラズマディスプレイパネルはソーダライム（Ｓｏｄａ−ｌｉｍｅ）ガラスからなる前面パネルと背面パネルの間に形成された隔壁が一つの放電セルを成して、各放電セル内でヘリウム-キセノン（Ｈｅ−Ｘｅ）、ヘリウム-ネオン（Ｈｅ−Ｎｅ）などのような不活性ガスが高周波電圧によって放電する時、真空紫外線（Ｖａｃｕｕｍ  Ｕｌｔｒａｖｉｏｌｅｔ  ｒａｙｓ）が発生されて隔壁の間に形成された蛍光体を発光させて画像を具現する装置である。
【０００４】
このようなプラズマディスプレイパネルの内で前面パネルには、透明電極とバス電極を含み、前述の透明電極とバス電極間にはルテニウムオキサイド（ｒｕｔｈｅｎｉｕｍ  ｏｘｉｄｅ）、酸化Ｐｂ、カーボン系列などの電気伝導物質に製造されるブラック層がそれぞれ介在されて、各維持電極対の間に形成されたブラックマトリックスとともにセルとセルの間のコントラスト（Ｃｏｎｔｒａｓｔ）を向上させる。
【０００５】
一般的に、バス電極を成す銀（Ａｇ）は放電による光は透過することができずに、外部光に対しては反射をすることと知られていてコントラストを悪くする問題がある。
【０００６】
このような問題を解決するために透明電極とバス電極と間にはコントラストを向上させるためのブラック層が形成される。
【０００７】
ブラック層は、前面ガラスの外部で発生する外部光を吸収して反射を減らしてくれる光遮断の機能と前面ガラスの色純度（Ｐｕｒｉｔｙ）及びコントラストを向上させるなどの機能を遂行する。
【０００８】
ところが、 従来のブラック層はバス電極と類似の幅に形成されて側面部で電極が巻き上がるエッジカール（Ｅｄｇｅ Ｃｕｒｌ）が発生しやすく、それによってバス電極とブラック層の接触が不良になる部分ができて放電セル内で放電を起こすための壁電荷の拡散が難しくなって、 光遮断や色純度及びコントラストの向上を充分に誘導することができないという問題点があったのである。
【発明の開示】
【発明が解決しようとする課題】
【０００９】
本発明の目的は、エッジカールを防止して壁電荷が易しく拡散するようにして、ブラック輝度を低減してコントラストを向上させるためのことである。
【００１０】
本発明の他の目的は、製造工程を単純化して、輝度を向上させるためのことである。
【課題を解決するための手段】
【００１１】
本発明の一つの実施形態によるプラズマディスプレイパネルは前面基板、 前面基板上に形成される透明電極、 透明電極上部に形成されるブラック層及びブラック層上部に前記ブラック層の幅より狭く形成されるバス電極を含む。
【００１２】
本発明の他の一つの実施形態によるプラズマディスプレイパネルは前面基板、前面基板上に形成される透明電極、 透明電極上部及び放電セルと放電セルの間である非放電領域を覆う領域に形成されたブラック層及び透明電極上部のブラック層の幅より狭く前記ブラック層上に形成されたバス電極を含む。
【００１３】
本発明のまた他の一つの実施形態によるプラズマディスプレイパネルは前面基板、前面基板上に形成されるブラック層及びブラック層上部にブラック層の幅より狭く形成されるバス電極を含む。
【００１４】
前記バス電極は前記ブラック層の中央部に形成されることが望ましい。
【００１５】
前記ブラック層の幅は２０ｕｍ以上１００ｕｍ以下なのが望ましい。
【００１６】
前記ブラック層の幅５０ｕｍ以上８０ｕｍ以下なのが望ましい。
【００１７】
前記バス電極の幅は前記ブラック層の幅に対して５０％ 以上９０％以下なのが望ましい。
【００１８】
前記ブラック層の幅と前記バス電極の幅の差は２０ｕｍ以内であることが望ましい。
【００１９】
前記バス電極は前記透明電極上部のブラック層の中央部に形成されることが望ましい。
【００２０】
前記透明電極上部のブラック層の幅は２０ｕｍ以上１００ｕｍ以下なのが望ましい。
【００２１】
前記透明電極上部のブラック層の幅は５０ｕｍ以上８０ｕｍ以下なのが望ましい。
【００２２】
前記バス電極の幅は前記透明電極上部のブラック層の幅に対して５０％以上９０％以下なのが望ましい。
【００２３】
前記透明電極上部のブラック層の幅と前記バス電極の幅の差は２０ｕｍ以内であることが望ましい。
【００２４】
前記バス電極は前記ブラック層の中央部に形成されることが望ましい。
【００２５】
前記ブラック層の幅は２０ｕｍ以上１００ｕｍ以下なのが望ましい。
【００２６】
前記ブラック層の幅は５０ｕｍ以上８０ｕｍ以下なのが望ましい。
【００２７】
前記バス電極の幅は前記ブラック層の幅に対して５０％以上９０％以下なのが望ましい。
【００２８】
前記ブラック層の幅と前記バス電極の幅の差は２０ｕｍ以内であることが望ましい。
【発明の効果】
【００２９】
本発明はバス電極の幅をブラック層の幅に比べて狭く形成することで、エッジカールを防止して壁電荷が易しく拡散することができるし、ブラック輝度を低減してコントラストを向上させることができる効果がある。
【００３０】
本発明は製造工程を単純化して製造費用を節減することができる。
【発明を実施するための最良の形態】
【００３１】
以下では、本発明の一つの実施形態による具体的な実施形態を添付された図面を参照して説明する。
【００３２】
図１は、本発明の一つの実施形態によるプラズマディスプレイパネルを示す図である。
【００３３】
図１に示すように、本発明の一つの実施形態によるプラズマディスプレイパネルは、画像がディスプレイされる表示面である前面パネル１００と背面を成す背面パネル１１０とが一定距離を間に置いて平行に結合される。
【００３４】
前面パネル１００は、前面ガラス１０１上にスキャン電極１０２及びサステイン電極１０３ で構成された維持電極対を複数個配列して構成する。
【００３５】
スキャン電極１０２及びサステイン電極１０３それぞれは、透明なＩＴＯ（Ｉｎｄｉｕｍ  Ｔｉｎ  Ｏｘｉｄｅ）物質で形成された透明電極（１０２ａ、１０３ａ）と、金属材質に製作されたバス電極（１０２ｂ、１０３ｂ）とで構成されて、一つの放電セル内で相互放電を誘発して、放電セルの発光を維持する。
【００３６】
スキャン電極１０２及びサステイン電極１０３は、放電電流を制限して電極対の間を絶縁させる一つ以上の上部誘電体層１０４によって覆われて、上部誘電体層１０４ 上面には放電条件を容易くするために通常酸化マグネシウム（ＭｇＯ）を蒸着した保護層１０５が形成される。
【００３７】
背面パネル１１０は、背面ガラス１１１上に複数個の放電空間、すなわち、放電セルを形成させるためのストライプタイプ(またはウェルタイプ)の隔壁１１２を平行に配列して構成する。
【００３８】
また、アドレス放電を遂行して真空紫外線を発生させる多数のアドレス電極１１３が隔壁１１２に対して平行に配置される。背面ガラス１１１の上側面にはアドレス放電の時、画像を表示するための可視光線を放出するＲ、Ｇ、Ｂ蛍光体１１４が塗布される。アドレス電極１１３と蛍光体１１４の間にはアドレス電極１１３を保護するための下部誘電体層１１５が形成される。
【００３９】
図２は、本発明の一つの実施形態によるプラズマディスプレイパネルの内で前面パネルの概略的な断面図である。
【００４０】
図２に示すのように、前面パネル２００に含まれる前面ガラス２０１上にはＩＴＯ物質に形成された透明電極（２０２ａ、２０３ａ）と、透明電極（２０２ａ、２０３ａ）上に銀（Ａｇ）のような金属材質で形成されたバス電極（２０２ｂ、２０３ｂ）が配列された複数の維持電極対が平行に配列されている。
【００４１】
本発明の一つの実施形態によるプラズマディスプレイパネルの内で前面パネル２００で、 維持電極対を形成する透明電極（２０２ａ、２０３ａ）とバス電極(202b、203b) の間には電気伝導物質に製造されるブラック層（２０６ａ、２０６ｂ）がそれぞれ介在されて、前面ガラス２０１の外部で発生する外部光を吸収して反射を減らしてくれる光遮断の機能と前面ガラス２０１の色純度及びコントラストを向上させるなどの機能を遂行する。
【００４２】
ここで、透明電極（２０２ａ、２０３ａ）とバス電極（２０２ｂ、２０３ｂ）の間に形成されるブラック層（２０６ａ、２０６ｂ）の幅はその上部のバス電極（２０２ｂ、２０３ｂ）の幅に比べて広く形成して、ブラック輝度を低下させてそれによってコントラストが向上するようにする。
【００４３】
プラズマディスプレイパネルで画質を評価する重要な要素になるコントラストがホワイトピーク(ｗｈｉｔｅ  ｐｅａｋ、全面的の１０％ 未満の面積を基準にしてこの部分の一番明るい画面状態)には比例するが、ブラック輝度(データ入力が“０”の状態、すなわち、画面がブラックの場合の輝度)には反比例するのでブラック輝度の増加は窮極的にコントラストを減少させる要因で作用する。
【００４４】
それで、本発明のように開口率を確保する範囲内でブラック層（２０６ａ、２０６ｂ）の面積をどの位増加させることがブラック輝度を低減させてコントラストを向上させる効果があるのである。
【００４５】
したがって本発明によるプラズマディスプレイパネルのブラック層（２０６ａ、２０６ｂ）の幅はその上部のバス電極（２０２ｂ、２０３ｂ）の幅より広く形成するために、ブラック層（２０６ａ、２０６ｂ）の幅を従来より広く形成するとか、バス電極（２０２ｂ、２０３ｂ）の幅を従来より狭く形成するとか、ブラック層（２０６ａ、２０６ｂ）の幅を広げることと同時にバス電極（２０２ｂ、２０３ｂ）の幅を減らすなどの方式を適用することができる。
【００４６】
それでは、ブラック層（２０６ａ、２０６ｂ）とバス電極（２０２ｂ、２０３ｂ）の幅が ｌ３、ｌ４にそれぞれ変化されて、バス電極（２０２ｂ、２０３ｂ）の幅がブラック層（２０６ａ、２０６ｂ）の幅より狭く形成されることで、ブラック層面積の増加によりブラック輝度が低減されてコントラストを向上させるようになる。
【００４７】
また、下部層になるブラック層（２０６ａ、２０６ｂ）の幅がバス電極（２０２ｂ、２０３ｂ）に比べてさらに広くなることで、電極の側面部で電極が巻き上がるエッジカール（Ｅｄｇｅ Ｃｕｒｌ）を防止することができるようになる。
【００４８】
ここで、バス電極（２０２ｂ、２０３ｂ）はブラック層（２０６ａ、２０６ｂ）の中央部に形成されることが望ましい。
【００４９】
また、ブラック層（２０６ａ、２０６ｂ）とバス電極（２０２ｂ、２０３ｂ）の幅になるｌ３、ｌ４値を設定するにおいて、開口率の確保や、バス電極（２０２ｂ、２０３ｂ）の抵抗などを考慮して、ブラック層（２０６ａ、２０６ｂ）の幅が２０ｕｍ 以上１００ｕｍ以下なのが望ましくて、ブラック層（２０６ａ、２０６ｂ）の幅が５０ｕｍ以上８０ｕｍ以下なのがさらに望ましい。ここで、ブラック層（２０６ａ、２０６ｂ）の幅が２０ｕｍ以上の理由はコントラスト特性を維持しながら, 開口率を最大限確保することができるからである。また、ブラック層（２０６ａ、２０６ｂ）の幅が１００ｕｍ以下の理由は開口率を確保する範囲でコントラストを最大限向上させることができるからである。
【００５０】
また、バス電極（２０２ｂ、２０３ｂ）の幅がブラック層（２０６ａ、２０６ｂ）の幅に対して５０％以上９０％ 以下なのが望ましい。バス電極（２０２ｂ、２０３ｂ）の幅がブラック層（２０６ａ、２０６ｂ）の幅に対して５０％以上９０％以下の場合、ブラック層（２０６ａ、２０６ｂ）の幅でバス電極（２０２ｂ、２０３ｂ）の幅を抜いた値は２０ｕｍ以内であることがさらに望ましい。ここで、ブラック層（２０６ａ、２０６ｂ）の幅でバス電極の幅を抜いた値が20um以内である理由はバス電極（２０２ｂ，２０３ｂ）の幅を最大限確保しながらもエッジカールを防止することができるからである。
【００５１】
図３は、本発明の一つの実施形態によるプラズマディスプレイパネルの内で前面パネルの製造方法を示す流れ図である。
【００５２】
まず、Ｓ１００段階で、前面ガラス２０１上にＩＴＯ物質で透明電極（２０２ａ、２０３ａ）のＩＴＯ電極パターンを形成する。
【００５３】
次に、Ｓ１１０段階で、形成されたＩＴＯ電極パターンを覆うようにブラックペーストなどのブラック材を印刷及び乾燥する。
次に、Ｓ１２０段階で、ブラック材の上部に銀ペーストなどの金属材を印刷及び乾燥する。
【００５４】
次に、Ｓ１３０段階で、第１マスクを利用して金属材を露光/現像してバス電極（２０２ｂ、２０３ｂ）を形成した後、乾燥及び塑性する。
【００５５】
次に、Ｓ１４０段階で、第２マスクを利用してブラック材を露光/現像してバス電極（２０２ｂ、２０３ｂ）に比べて広い幅を持つバス電極(202b、203b) 下部のブラック層（２０６ａ、２０６ｂ）を形成する。
【００５６】
次に、Ｓ１５０段階で、透明電極（２０２ａ、２０３ａ）、ブラック層（２０６ａ、２０６ｂ）、バス電極（２０２ｂ、２０３ｂ）と前面ガラス２０１から突き出されたブラック層２０６ｂなどを全て覆うように、前面ガラス２０１の上部に誘電物質を印刷及び乾燥して上部誘電体層２０４を形成する。
【００５７】
図３では、プラズマディスプレイパネルの製造方法において使われるマスクとして第１マスクと第２マスクとを記載しているが、製造工程上追加的にマスクが使われることができる。
【００５８】
図４は、本発明の他の一つの実施形態によるプラズマディスプレイパネルの内で前面パネルの概略的な断面図である。
【００５９】
図４に示すように、前面パネル４００に含まれる前面ガラス４０１上にはＩＴＯ物質で形成された透明電極（４０２ａ、４０３ａ）と、透明電極（４０２ａ、４０３ａ）上方に銀（Ａｇ）のような金属材質で形成されたバス電極（４０２ｂ、４０３ｂ）が配列された複数の維持電極対が平行に配列されている。
【００６０】
本発明の他の一つの実施形態によるプラズマディスプレイパネルの内で、前面パネル４００では維持電極対を形成する透明電極（４０２ａ、４０３ａ）とバス電極（４０２ｂ、４０３ｂ）の間には電気伝導物質で製造されるブラック層（４０６ａ、４０６ｂ）が形成される。
【００６１】
このようなブラック層（４０６ａ、４０６ｂ）は、放電セルと放電セルの間の非放電領域を通って隣接する放電セルの透明電極（４０２ａ、４０３ａ）とバス電極（４０２ｂ、４０３ｂ）の間まで延長されて形成されて、前面ガラス２０１の外部で発生する外部光を吸収して反射を減らしてくれる光遮断の機能と、前面ガラス２０１の色純度及びコントラストを向上させるなどの機能を遂行する。
【００６２】
また、 図２に示された本発明の一つの実施形態によるプラズマディスプレイパネルの内で前面パネルと異なり、単一の工程でブラック層（４０６ａ、４０６ｂ）を形成することができて、製造工程を単純化することができるし製造費用を節減することができる。
【００６３】
ここで、透明電極（４０２ａ、４０３ａ）上部のブラック層４０６ａの幅ｌ３はその上部のバス電極（４０２ｂ、４０３ｂ）の幅ｌ４に比べて広く形成して、 ブラック輝度を低下させてそれによってコントラストが向上するようにする。
【００６４】
プラズマディスプレイパネルで画質を評価する重要な要素になるコントラストがホワイトピーク(全面的の１０％未満の面積を基準にしてこの部分の一番明るい画面状態)には比例するが、ブラック輝度(データ入力が“０”の状態、すなわち、画面がブラックの場合の輝度)には反比例するのでブラック輝度の増加は窮極的にコントラストを減少させる要因で作用する。
【００６５】
それで、 本発明のように開口率を確保する範囲内でブラック層４０６ａの面積をどの位増加させることがブラック輝度を低減させてコントラストを向上させる効果があるのである。
【００６６】
したがって本発明の一つの実施形態によるプラズマディスプレイパネルの内で透明電極（４０２ａ、４０３ａ）上部のブラック層４０６ａの幅ｌ３ をその上部のバス電極（４０２ｂ、４０３ｂ）の幅ｌ４より広く形成するために、透明電極（４０２ａ、４０３ａ） 上部のブラック層４０６ａの幅ｌ３を従来より広く形成するとか、バス電極（４０２ｂ、４０３ｂ）の幅ｌ４を従来より狭く形成するとか、透明電極（４０２ａ、４０３ａ）上部のブラック層４０６ａの幅ｌ３を広げることと同時にバス電極（４０２ｂ、４０３ｂ）の幅ｌ４を減らすなどの方式を適用することができる。
【００６７】
それでは、透明電極（４０２ａ、４０３ａ）上部のブラック層４０６ａとバス電極（４０２ｂ、４０３ｂ）の幅がｌ３、ｌ４にそれぞれ変化されて、バス電極（４０２ｂ、４０３ｂ）の幅が透明電極（４０２ａ、４０３ａ）上部のブラック層４０６ａの幅より狭く形成されることで、ブラック層面積の増加でブラック輝度が低減されてコントラストを向上させるようになる。
【００６８】
また、下部層になる透明電極（４０２ａ、４０３ａ）上部のブラック層４０６ａの幅がバス電極（４０２ｂ、４０３ｂ）に比べてさらに広くなることで、電極の側面部で電極が巻き上がるエッジカールを防止することができるようになる。
【００６９】
ここで、バス電極（４０２ｂ、４０３ｂ）は透明電極（４０２ａ、４０３ａ）上部のブラック層４０６ａの中央部に形成されることが望ましい。
【００７０】
また、透明電極（４０２ａ、４０３ａ）上部のブラック層４０６ａとバス電極（４０２ｂ、４０３ｂ）の幅になるｌ３、ｌ４値を設定するにおいて、開口率の確保や、バス電極（４０２ｂ、４０３ｂ）の抵抗などを考慮して、透明電極（４０２ａ、４０３ａ）上部のブラック層４０６ａの幅が２０ｕｍ以上１００ｕｍ以下なのが望ましく、 透明電極（４０２ａ、４０３ａ）上部のブラック層４０６ａの幅が５０ｕｍ以上８０ｕｍ以下なのがさらに望ましい。 ここで、ブラック層（４０６ａ、４０６ｂ）の幅が２０ｕｍ以上の理由はコントラスト特性を維持しながら, 開口率を最大限確保することができるからである。また、ブラック層（４０６ａ、４０６ｂ）の幅が１００ｕｍ以下の理由は開口率を確保する範囲でコントラストを最大限向上させることができるからである。
【００７１】
また、バス電極（４０２ｂ、４０３ｂ）の幅が透明電極（４０２ａ、４０３ａ）上部のブラック層４０６ａの幅に対して５０％以上９０％以下なのが望ましい。 バス電極（４０２ｂ、４０３ｂ）の幅がブラック層４０６ａの幅に対して５０％以上９０％以下の場合、透明電極（４０２ａ、４０３ａ）上部のブラック層４０６ａの幅でバス電極（４０２ｂ、４０３ｂ）の幅を抜いた値は２０ｕｍ以内であることがさらに望ましい。ここで、ブラック層（４０６ａ、４０６ｂ）の幅でバス電極の幅を抜いた値が20um以内である理由はバス電極（４０２ｂ，４０３ｂ）の幅を最大限確保しながらもエッジカールを防止することができるからである。
【００７２】
図５ａないし図５ｂは、本発明の他の一つの実施形態によるプラズマディスプレイパネルの内で前面パネルの製造方法を示す流れ図である。
【００７３】
まず、図５ａに示すように、前面ガラス４０１上にＩＴＯ物質で透明電極（４０２ａ、４０３ａ）のＩＴＯ 電極パターンを形成する。次に、ブラック層４０６ｂを形成するためのブラックペースト（ｂｌａｃｋ  ｐａｓｔｅ）などのブラック材を印刷して乾燥した後、第１マスクを利用して図４に示されたブラック層（４０６ａ、４０６ｂ）形成部分を露光する。
【００７４】
次に、図５ｂに示すように、上述したブラックペーストなどのブラック材上にバス電極（４０２ｂ、４０３ｂ）を形成するための銀ペーストなどの金属材を印刷した後乾燥する。
【００７５】
次に、図５ｃ及び図５ｄに示すのように、第２マスクを利用してバス電極（４０２ｂ、４０３ｂ）形成部分を紫外線（ＵＶ）露光/現像した後焼成炉(図示せず)で焼成をする。
【００７６】
次に、図５ｅに示すのように、誘電体ペーストを印刷及び乾燥した後塑性する。
【００７７】
図５ではプラズマディスプレイパネルの製造方法において使われるマスクとして第１マスクと第２マスクが記載しているが、製造工程上追加的にマスクが使われることができる。
【００７８】
図６は、本発明のまた他の一つの実施形態によるプラズマディスプレイパネルの内で前面パネルの概略的な断面図である。
【００７９】
図６に示すのように、前面パネル６００に含まれる前面ガラス６０１上には銀（Ａｇ）のような金属材質に製作されたバス電極（６０２ｂ、６０３ｂ）が配列された複数の維持電極対が平行に配列されている。
【００８０】
ここで、 本発明のまた他の一つの実施形態によるプラズマディスプレイパネルの内で前面パネル６００は、図２に示す本発明の一つの実施形態によるプラズマディスプレイパネルの内の前面パネル２００とは異なり、高価の透明電極が形成されないことにより、プラズマディスプレイパネルの製造単価を低めることができる。
【００８１】
本発明のまた他の一つの実施形態によるプラズマディスプレイパネルの内で前面パネル６００では、バス電極（６０２ｂ、６０３ｂ）の間には電気伝導物質で形成されるブラック層（６０６ａ、６０６ｂ）がそれぞれ介在されて、前面ガラス６０１の外部で発生する外部光を吸収して反射を減らしてくれる光遮断の機能と前面ガラス６０１の色純度及びコントラストを向上させるなどの機能を遂行する。
【００８２】
ここで、バス電極（６０２ｂ、６０３ｂ）下部に形成されるブラック層（６０６ａ、６０６ｂ）の幅は、その上部のバス電極（６０２ｂ、６０３ｂ）の幅に比べて広く形成して、ブラック輝度を低下させてそれによってコントラストが向上するようにする。
【００８３】
プラズマディスプレイパネルで画質を評価する重要な要素になるコントラストがホワイトピーク(全面的の１０％ 未満の面積を基準にしてこの部分の一番明るい画面状態)には比例するが、ブラック輝度(データ入力が“０”の状態、すなわち、画面がブラックの場合の輝度)には反比例するのでブラック輝度の増加は窮極的にコントラストを減少させる要因で作用する。
【００８４】
それで、本発明のように開口率を確保する範囲内でブラック層（６０６ａ、６０６ｂ）の面積をどの位増加させることがブラック輝度を低減させてコントラストを向上させる効果があるのである。
【００８５】
したがって本発明によるプラズマディスプレイパネルのブラック層（６０６ａ、６０６ｂ）の幅は、その上部のバス電極（６０２ｂ、６０３ｂ）の幅より広く形成するために、ブラック層（６０６ａ、６０６ｂ）の幅を従来より広く形成するとか、バス電極（６０２ｂ、６０３ｂ）の幅を従来より狭く形成するとか、ブラック層（６０６ａ、６０６ｂ）の幅を広げることと同時にバス電極（６０２ｂ、６０３ｂ）の幅を減らすなどの方式を適用することができる。
【００８６】
それでは、ブラック層（６０６ａ、６０６ｂ）とバス電極（６０２ｂ、６０３ｂ）の幅がｌ３、ｌ４にそれぞれ変化されて、バス電極（６０２ｂ、６０３ｂ）の幅がブラック層（６０６ａ、６０６ｂ）の幅より狭く形成されることで、ブラック層面積の増加でブラック輝度が低減されてコントラストを向上させるようになる。
【００８７】
また、下部層になるブラック層（６０６ａ、６０６ｂ）の幅がバス電極（６０２ｂ、６０３ｂ）に比べてさらに広くなることで、電極の側面部で電極が巻き上がるエッジカールを防止することができるようになる。
【００８８】
ここで、バス電極（６０２ｂ、６０３ｂ）はブラック層（６０６ａ、６０６ｂ）の中央部に形成されることが望ましい。
【００８９】
また、ブラック層（６０６ａ、６０６ｂ）とバス電極（６０２ｂ、６０３ｂ）の幅になるｌ３、ｌ４値を設定するにおいて、開口率の確保や、バス電極（６０２ｂ、６０３ｂ）の抵抗などを考慮して、ブラック層（６０６ａ、６０６ｂ）の幅が２０ｕｍ 以上１００ｕｍ以下なのが望ましくて、ブラック層（６０６ａ、６０６ｂ）の幅が５０ｕｍ 以上８０ｕｍ以下なのがさらに望ましい。ここで、ブラック層（６０６ａ、６０６ｂ）の幅が２０ｕｍ以上の理由はコントラスト特性を維持しながら, 開口率を最大限確保することができるからである。また、ブラック層（６０６ａ、６０６ｂ）の幅が１００ｕｍ以下の理由は開口率を確保する範囲でコントラストを最大限向上させることができるからである。
【００９０】
また、バス電極（６０２ｂ、６０３ｂ）の幅がブラック層（６０６ａ、６０６ｂ）の幅に対して５０％以上９０％ 以下なのが望ましい。バス電極（６０２ｂ、６０３ｂ）の幅がブラック層（６０６ａ、６０６ｂ）の幅に対して５０％以上９０％以下の場合、ブラック層（６０６ａ ６０６ｂ）の幅でバス電極（６０２ｂ、６０３ｂ）の幅を抜いた値は２０ｕｍ以内であることがさらに望ましい。ここで、ブラック層（６０６ａ、６０６ｂ）の幅でバス電極の幅を抜いた値が20um以内である理由はバス電極（６０２ｂ，６０３ｂ）の幅を最大限確保しながらもエッジカールを防止することができるからである。
【００９１】
本発明はバス電極の幅をブラック層の幅に比べて狭く形成することで、エッジカールを防止して壁電荷が易しく拡散することができるし、ブラック輝度を低減してコントラストを向上させることができる効果がある。
【図面の簡単な説明】
【００９２】
【図１】本発明の一つの実施形態によるプラズマディスプレイパネルを示す図。
【図２】本発明の一つの実施形態によるプラズマディスプレイパネルの内で前面パネルの概略的な断面図。
【図３】本発明の一つの実施形態によるプラズマディスプレイパネルの内で前面パネルの製造方法を示す図。
【図４】本発明の他の一つの実施形態によるプラズマディスプレイパネルの内で前面パネルの概略的な断面図。
【図５】ａないしｅは本発明の他の一つの実施形態によるプラズマディスプレイパネルの内で前面パネルの製造方法を示す流れ図。
【図６】本発明のまた他の一つの実施形態によるプラズマディスプレイパネルの内で前面パネルの概略的な断面図。
【図５】
2006318901.tif 000003
【図１】
2006318901.tif 000004
【図２】
2006318901.tif 000005
【図３】
2006318901.tif 000006
【図４】
2006318901.tif 000007
【図６】
2006318901.tif 000008